(57)【要約】【課題】共有画面の近傍にいる参加者が作成した付箋情報を、関連付けのための付箋情報として参加者用端末に送信するようにした情報処理装置を提供する。【解決手段】情報処理装置の取得手段は、参加者の位置を示す情報である位置情報を取得し、抽出手段は、共有画面に表示されている付箋情報を対象として、前記取得手段によって取得された位置情報に基づいて、該共有画面の近傍にいる参加者が作成した付箋情報を抽出し、送信手段は、参加者用端末において、参加者が作成した付箋情報を関連付けるために表示する付箋情報として、前記抽出手段によって抽出された付箋情報を該参加者用端末に送信する。【選択図】図１
2014229167.tif 000002
【特許請求の範囲】
【請求項１】
参加者の位置を示す情報である位置情報を取得する取得手段と、
共有画面に表示されている付箋情報を対象として、前記取得手段によって取得された位置情報に基づいて、該共有画面の近傍にいる参加者が作成した付箋情報を抽出する抽出手段と、
参加者用端末において、参加者が作成した付箋情報を関連付けるために表示する付箋情報として、前記抽出手段によって抽出された付箋情報を該参加者用端末に送信する送信手段
を具備することを特徴とする情報処理装置。
【請求項２】
前記抽出手段は、前記共有画面の近傍にいた参加者が該共有画面から離れた場合は、該参加者が作成した付箋情報を抽出し、
前記送信手段は、既に送信した付箋情報のうち前記参加者用端末から消去するための付箋情報を示すものとして、前記抽出手段によって抽出された付箋情報を該参加者用端末に送信する
ことを特徴とする請求項１に記載の情報処理装置。
【請求項３】
共有画面に表示されている付箋情報を対象として、参加者が選択した付箋情報を抽出する、又は共有画面に表示されている付箋情報を対象として、該付箋情報の属性情報に基づいて付箋情報を抽出する抽出手段と、
参加者用端末において、参加者が作成した付箋情報を関連付けるために表示する付箋情報として、前記抽出手段によって抽出された付箋情報を該参加者用端末に送信する送信手段
を具備することを特徴とする情報処理装置。
【請求項４】
前記送信手段は、前記参加者用端末に付箋情報を表示するために送信する場合は、該参加者用端末において表示する期間を付加して送信する
ことを特徴とする請求項１から３のいずれか一項に記載の情報処理装置。
【請求項５】
前記期間の長さは、前記送信する付箋情報の属性に基づいた長さとする
ことを特徴とする請求項４に記載の情報処理装置。
【請求項６】
前記送信手段による送信に対応して、前記参加者用端末から第１の付箋情報と該第１の付箋情報に関連付けられる第２の付箋情報を識別する識別情報を受信する受信手段と、
前記受信手段によって受信された識別情報の前記第２の付箋情報に前記第１の付箋情報を関連付ける関連付手段と、
前記共有画面に、前記関連付手段によって関連付けられた第１の付箋情報を前記第２の付箋情報の近傍に表示する表示手段
をさらに具備することを特徴とする請求項１から５のいずれか一項に記載の情報処理装置。
【請求項７】
前記送信手段による送信に対応して、前記参加者用端末から第１の付箋情報を受信する受信手段と、
前記受信手段によって受信された識別情報の前記第１の付箋情報の属性に基づいて、前記送信手段によって送信された付箋情報のうちいずれかの第２の付箋情報に関連付ける関連付手段と、
前記共有画面に、前記関連付手段によって関連付けられた第１の付箋情報を前記第２の付箋情報の近傍に表示する表示手段
をさらに具備することを特徴とする請求項１から６のいずれか一項に記載の情報処理装置。
【請求項８】
前記抽出手段は、前記共有画面の近傍にいる参加者が作成した付箋情報が含まれているグループを抽出し、
前記送信手段は、前記抽出手段によって抽出されたグループを該参加者用端末に送信する
ことを特徴とする請求項１から７のいずれか一項に記載の情報処理装置。
【請求項９】
前記送信手段による送信に対応して、前記参加者用端末から第１の付箋情報を受信する受信手段と、
前記受信手段によって受信された識別情報の前記第１の付箋情報の属性に基づいて、前記送信手段によって送信されたグループのうちいずれかのグループに関連付ける関連付手段と、
前記共有画面に、前記関連付手段によって関連付けられた第１の付箋情報を関連付けたグループ内に表示する表示手段
をさらに具備することを特徴とする請求項８に記載の情報処理装置。
【請求項１０】
コンピュータを、
参加者の位置を示す情報である位置情報を取得する取得手段と、
共有画面に表示されている付箋情報を対象として、前記取得手段によって取得された位置情報に基づいて、該共有画面の近傍にいる参加者が作成した付箋情報を抽出する抽出手段と、
参加者用端末において、参加者が作成した付箋情報を関連付けるために表示する付箋情報として、前記抽出手段によって抽出された付箋情報を該参加者用端末に送信する送信手段
として機能させるための情報処理プログラム。
【請求項１１】
コンピュータを、
共有画面に表示されている付箋情報を対象として、参加者が選択した付箋情報を抽出する、又は共有画面に表示されている付箋情報を対象として、該付箋情報の属性情報に基づいて付箋情報を抽出する抽出手段と、
参加者用端末において、参加者が作成した付箋情報を関連付けるために表示する付箋情報として、前記抽出手段によって抽出された付箋情報を該参加者用端末に送信する送信手段
として機能させるための情報処理プログラム。
【発明の詳細な説明】
【技術分野】
【０００１】
本発明は、情報処理装置及び情報処理プログラムに関する。
【背景技術】
【０００２】
特許文献１には、ユーザーの円滑な作業を促進して利便性の高い会議支援システムを提供することを課題とし、ＣＰＵは、端末装置から書込データを受信したかどうかを判断し、端末装置から書込データを受信したと判断した場合には、次に、端末装置から図形データを受信したかどうかを判断し、図形データを受信したと判断した場合には、図形データに基づいて一致する位置関連情報があるかどうかを判断し、一致する位置関連情報があると判断した場合には、位置関連情報に対応する領域に書込データを表示することが開示されている。
【先行技術文献】
【特許文献】
【０００３】
【特許文献１】特開２０１１−０９０４８６号公報
【発明の概要】
【発明が解決しようとする課題】
【０００４】
本発明は、共有画面の近傍にいる参加者が作成した付箋情報を、関連付けのための付箋情報として参加者用端末に送信するようにした情報処理装置及び情報処理プログラムを提供することを目的としている。
【課題を解決するための手段】
【０００５】
かかる目的を達成するための本発明の要旨とするところは、次の各項の発明に存する。
請求項１の発明は、参加者の位置を示す情報である位置情報を取得する取得手段と、共有画面に表示されている付箋情報を対象として、前記取得手段によって取得された位置情報に基づいて、該共有画面の近傍にいる参加者が作成した付箋情報を抽出する抽出手段と、参加者用端末において、参加者が作成した付箋情報を関連付けるために表示する付箋情報として、前記抽出手段によって抽出された付箋情報を該参加者用端末に送信する送信手段を具備することを特徴とする情報処理装置である。
【０００６】
請求項２の発明は、前記抽出手段は、前記共有画面の近傍にいた参加者が該共有画面から離れた場合は、該参加者が作成した付箋情報を抽出し、前記送信手段は、既に送信した付箋情報のうち前記参加者用端末から消去するための付箋情報を示すものとして、前記抽出手段によって抽出された付箋情報を該参加者用端末に送信することを特徴とする請求項１に記載の情報処理装置である。
【０００７】
請求項３の発明は、共有画面に表示されている付箋情報を対象として、参加者が選択した付箋情報を抽出する、又は共有画面に表示されている付箋情報を対象として、該付箋情報の属性情報に基づいて付箋情報を抽出する抽出手段と、参加者用端末において、参加者が作成した付箋情報を関連付けるために表示する付箋情報として、前記抽出手段によって抽出された付箋情報を該参加者用端末に送信する送信手段を具備することを特徴とする情報処理装置である。
【０００８】
請求項４の発明は、前記送信手段は、前記参加者用端末に付箋情報を表示するために送信する場合は、該参加者用端末において表示する期間を付加して送信することを特徴とする請求項１から３のいずれか一項に記載の情報処理装置である。
【０００９】
請求項５の発明は、前記期間の長さは、前記送信する付箋情報の属性に基づいた長さとすることを特徴とする請求項４に記載の情報処理装置である。
【００１０】
請求項６の発明は、前記送信手段による送信に対応して、前記参加者用端末から第１の付箋情報と該第１の付箋情報に関連付けられる第２の付箋情報を識別する識別情報を受信する受信手段と、前記受信手段によって受信された識別情報の前記第２の付箋情報に前記第１の付箋情報を関連付ける関連付手段と、前記共有画面に、前記関連付手段によって関連付けられた第１の付箋情報を前記第２の付箋情報の近傍に表示する表示手段をさらに具備することを特徴とする請求項１から５のいずれか一項に記載の情報処理装置である。
【００１１】
請求項７の発明は、前記送信手段による送信に対応して、前記参加者用端末から第１の付箋情報を受信する受信手段と、前記受信手段によって受信された識別情報の前記第１の付箋情報の属性に基づいて、前記送信手段によって送信された付箋情報のうちいずれかの第２の付箋情報に関連付ける関連付手段と、前記共有画面に、前記関連付手段によって関連付けられた第１の付箋情報を前記第２の付箋情報の近傍に表示する表示手段をさらに具備することを特徴とする請求項１から６のいずれか一項に記載の情報処理装置である。
【００１２】
請求項８の発明は、前記抽出手段は、前記共有画面の近傍にいる参加者が作成した付箋情報が含まれているグループを抽出し、前記送信手段は、前記抽出手段によって抽出されたグループを該参加者用端末に送信することを特徴とする請求項１から７のいずれか一項に記載の情報処理装置である。
【００１３】
請求項９の発明は、前記送信手段による送信に対応して、前記参加者用端末から第１の付箋情報を受信する受信手段と、前記受信手段によって受信された識別情報の前記第１の付箋情報の属性に基づいて、前記送信手段によって送信されたグループのうちいずれかのグループに関連付ける関連付手段と、前記共有画面に、前記関連付手段によって関連付けられた第１の付箋情報を関連付けたグループ内に表示する表示手段をさらに具備することを特徴とする請求項８に記載の情報処理装置である。
【００１４】
請求項１０の発明は、コンピュータを、参加者の位置を示す情報である位置情報を取得する取得手段と、共有画面に表示されている付箋情報を対象として、前記取得手段によって取得された位置情報に基づいて、該共有画面の近傍にいる参加者が作成した付箋情報を抽出する抽出手段と、参加者用端末において、参加者が作成した付箋情報を関連付けるために表示する付箋情報として、前記抽出手段によって抽出された付箋情報を該参加者用端末に送信する送信手段として機能させるための情報処理プログラムである。
【００１５】
請求項１１の発明は、コンピュータを、共有画面に表示されている付箋情報を対象として、参加者が選択した付箋情報を抽出する、又は共有画面に表示されている付箋情報を対象として、該付箋情報の属性情報に基づいて付箋情報を抽出する抽出手段と、参加者用端末において、参加者が作成した付箋情報を関連付けるために表示する付箋情報として、前記抽出手段によって抽出された付箋情報を該参加者用端末に送信する送信手段として機能させるための情報処理プログラムである。
【発明の効果】
【００１６】
請求項１の情報処理装置によれば、共有画面の近傍にいる参加者が作成した付箋情報を、関連付けのための付箋情報として参加者用端末に送信することができる。
【００１７】
請求項２の情報処理装置によれば、参加者が共有画面から離れた場合は、参加者用端末から表示している付箋情報を消去するための情報を送信することができる。
【００１８】
請求項３の情報処理装置によれば、共有画面上で参加者が選択している付箋情報を、関連付けのための付箋情報として参加者用端末に送信することができる。
【００１９】
請求項４の情報処理装置によれば、付箋情報に参加者用端末において表示する期間を付加して送信することができる。
【００２０】
請求項５の情報処理装置によれば、期間の長さは、付箋情報の属性に基づいた長さとすることができる。
【００２１】
請求項６の情報処理装置によれば、参加者用端末から送信されてきた付箋情報を指定された付箋情報に関連付けて表示することができる。
【００２２】
請求項７の情報処理装置によれば、参加者用端末から送信されてきた付箋情報を、その付箋情報の属性に基づいて、送信した付箋情報のうちいずれかに関連付けて表示することができる。
【００２３】
請求項８の情報処理装置によれば、関連付けのためのグループを参加者用端末に送信することができる。
【００２４】
請求項９の情報処理装置によれば、参加者用端末から送信されてきた付箋情報を、その付箋情報の属性に基づいて、送信したグループのうちいずれかに関連付けて表示することができる。
【００２５】
請求項１０の情報処理プログラムによれば、共有画面の近傍にいる参加者が作成した付箋情報を、関連付けのための付箋情報として参加者用端末に送信することができる。
【００２６】
請求項１１の情報処理プログラムによれば、共有画面上で参加者が選択している付箋情報を、関連付けのための付箋情報として参加者用端末に送信することができる。
【図面の簡単な説明】
【００２７】
【図１】第１の実施の形態の構成例についての概念的なモジュール構成図である。
【図２】本実施の形態を実現するにあたってのシステム構成例を示す説明図である。
【図３】本実施の形態が使用される会議室等の例を示す説明図である。
【図４】本実施の形態による共有画面の表示例を示す説明図である。
【図５】第１の実施の形態による処理例を示すフローチャートである。
【図６】第１の実施の形態による処理例を示すフローチャートである。
【図７】付箋情報テーブルのデータ構造例を示す説明図である。
【図８】台紙情報テーブルのデータ構造例を示す説明図である。
【図９】アクティブ付箋テーブルのデータ構造例を示す説明図である。
【図１０】第１の実施の形態による端末画面の表示例を示す説明図である。
【図１１】第１の実施の形態による処理結果を示す共有画面の表示例を示す説明図である。
【図１２】第２の実施の形態の構成例についての概念的なモジュール構成図である。
【図１３】第２の実施の形態による処理例を示すフローチャートである。
【図１４】第２の実施の形態による整列情報の例を示す説明図である。
【図１５】第２の実施の形態による処理結果を示す共有画面の表示例を示す説明図である。
【図１６】第２の実施の形態による処理結果を示す共有画面の表示例を示す説明図である。
【図１７】整列情報リストのデータ構造例を示す説明図である。
【図１８】本実施の形態を実現するコンピュータのハードウェア構成例を示すブロック図である。
【発明を実施するための形態】
【００２８】
以下、図面に基づき本発明を実現するにあたっての好適な各種の実施の形態の例を説明する。
図１は、第１の実施の形態の構成例についての概念的なモジュール構成図を示している。
なお、モジュールとは、一般的に論理的に分離可能なソフトウェア（コンピュータ・プログラム）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するの意である。また、モジュールは機能に一対一に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（データの授受、指示、データ間の参照関係等）の場合にも用いる。「予め定められた」とは、対象としている処理の前に定まっていることをいい、本実施の形態による処理が始まる前はもちろんのこと、本実施の形態による処理が始まった後であっても、対象としている処理の前であれば、そのときの状況・状態に応じて、又はそれまでの状況・状態に応じて定まることの意を含めて用いる。「予め定められた値」が複数ある場合は、それぞれ異なった値であってもよいし、２以上の値（もちろんのことながら、全ての値も含む）が同じであってもよい。また、「Ａである場合、Ｂをする」という意味を有する記載は、「Ａであるか否かを判断し、Ａであると判断した場合はＢをする」の意味で用いる。ただし、Ａであるか否かの判断が不要である場合を除く。
また、システム又は装置とは、複数のコンピュータ、ハードウェア、装置等がネットワーク（一対一対応の通信接続を含む）等の通信手段で接続されて構成されるほか、１つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（社会システム）にすぎないものは含まない。
また、各モジュールによる処理毎に又はモジュール内で複数の処理を行う場合はその処理毎に、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスク、ＲＡＭ（Ｒａｎｄｏｍ  Ａｃｃｅｓｓ  Ｍｅｍｏｒｙ）、外部記憶媒体、通信回線を介した記憶装置、ＣＰＵ（Ｃｅｎｔｒａｌ  Ｐｒｏｃｅｓｓｉｎｇ  Ｕｎｉｔ）内のレジスタ等を含んでいてもよい。
【００２９】
本実施の形態である情報処理装置の表示・配置装置１５０は、端末装置１００から送信されてきた付箋情報（電子付箋、電子カード等ともいわれる）を台紙上に貼り付けて表示するものであって、図１の例に示すように、通信モジュール１６０、関連付け判断モジュール１７０、付箋情報リスト記憶モジュール１７４、参加者位置情報取得モジュール１８０、表示制御モジュール１９０を有している。また、表示・配置装置１５０に通信回線を介して接続されている端末装置１００は、受付モジュール１１０、通信モジュール１２０、アクティブ付箋表示モジュール１３０を有している。この通信回線は、有線、無線を問わない。
表示・配置装置１５０は、付箋情報を用いて、ファシリテーター（一般的には一人）と複数人の参加者によって行われる会合（会議、アイデア抽出会、検討会等）で利用される。参加者は参加者用端末としての端末装置（端末装置１００等）を用いて、アイデア等が記載された付箋情報を作成する。一般的に、図２の例に示すように、端末装置１００として、端末装置１００ａ、端末装置１００ｂ、端末装置１００ｃ等（以下、代表して端末装置１００という）があり、端末装置１００は複数ある。そして、表示・配置装置１５０は、端末装置１００から付箋情報を受け取って、台紙上にその付箋情報を貼り付ける。ファシリテーターは表示・配置装置１５０の表示先である共有画面を用いて、その台紙上で、付箋情報の位置を決定又は変更したり、付箋情報をまとめたり（第１の付箋情報と第２の付箋情報を関連付けること、グループ化等ともいわれる）、自らも付箋情報の作成等を行って、その会合を進行させる。なお、本実施の形態において、参加者には、ファシリテーターを含む。
【００３０】
通信モジュール１６０は、関連付け判断モジュール１７０、端末装置１００の通信モジュール１２０と接続されている。通信モジュール１６０は、関連付け判断モジュール１７０によって抽出されたアクティブ付箋情報（識別情報、内容情報を含む）を端末装置１００に送信する。また、表示制御モジュール１９０が作成した台紙の画面情報（表示制御モジュール１９０によって表示される内容等）等を送信するようにしてもよい。通信モジュール１６０は、端末装置１００から送信された付箋情報（参加者が端末装置１００を用いて作成した付箋情報（第１の付箋情報））とその付箋情報に関連付けられるアクティブ付箋情報（第２の付箋情報）を識別する識別情報を受信する。つまり、ここでの受信する情報としては少なくとも２つあり、その２つとは、（１）付箋情報（第１の付箋情報）そのもの、（２）関連付けられたアクティブ付箋情報の識別情報である。もちろんのことながら、受信するアクティブ付箋情報の識別情報は、関連付け判断モジュール１７０によって抽出されたアクティブ付箋情報の識別情報（つまり、端末装置１００に送信したアクティブ付箋情報の識別情報）に含まれる。なお、アクティブ付箋情報は、その会合において話題となっている可能性が高い付箋情報である。したがって、新たに作成された付箋情報は、そのアクティブ付箋情報に関連付けすべきものである可能性が高いことにある。また、通信モジュール１６０は、（１）付箋情報（第１の付箋情報）そのもの、だけを受信するようにしてもよい。この場合、関連付け判断モジュール１７０が、受信した付箋情報（第１の付箋情報）をアクティブ付箋情報のいずれかに関連付ける。なお、付箋情報そのものとは、具体的な例として、図７を用いて後述する付箋情報テーブル７００が該当する。
【００３１】
関連付け判断モジュール１７０は、通信モジュール１６０、付箋情報リスト記憶モジュール１７４、参加者位置情報取得モジュール１８０、表示制御モジュール１９０と接続されている。関連付け判断モジュール１７０は、共有画面に表示されている付箋情報を対象として、参加者位置情報取得モジュール１８０によって取得された位置情報に基づいて、その共有画面の近傍にいる参加者が作成した付箋情報を抽出する。そして、関連付け判断モジュール１７０は、参加者用端末である端末装置１００において、参加者が作成した付箋情報を関連付けるために表示する付箋情報（アクティブ付箋情報）として、関連付け判断モジュール１７０によって抽出された付箋情報をその端末装置１００に通信モジュール１６０を介して送信する。なお、参加者が作成した付箋情報を抽出する処理としては、具体的には、付箋情報テーブル７００を用いて、参加者ＩＤから付箋情報ＩＤを抽出すればよい。
また、関連付け判断モジュール１７０は、共有画面の近傍にいた参加者がその共有画面から離れた場合は、その参加者が作成した付箋情報を抽出してもよい。そして、関連付け判断モジュール１７０は、既に送信した付箋情報のうち端末装置１００から消去するための付箋情報を示すものとして、抽出した付箋情報をその端末装置１００に通信モジュール１６０を介して送信するようにしてもよい。
【００３２】
また、関連付け判断モジュール１７０は、共有画面に表示されている付箋情報であって、参加者が選択している付箋情報をアクティブ付箋情報として抽出するようにしてもよい。選択しているとは、例えば、参加者が付箋情報に触れている状態をいい、その接触を検知すればよい。
また、関連付け判断モジュール１７０は、共有画面に表示されている付箋情報を対象として、その付箋情報の属性情報に基づいて付箋情報を抽出するようにしてもよい。付箋情報の属性情報としては、図７を用いて後述する付箋情報テーブル７００内の送信日時欄７６０の送信日時、色欄７９６の色、図８を用いて後述する台紙情報テーブル８００の内のいいね投票数欄８８５の投票数等がある。これらの属性が予め定められた値（範囲を含む）である場合は、アクティブ付箋情報として抽出してもよい。また、前述の参加者が選択している付箋情報の属性の値と近い属性を有する付箋情報を抽出するようにしてもよい。ここで「値が近い属性」とは、参加者が選択している付箋情報の属性の値と、対象としている付箋情報の属性の値との差分が、予め定められた値以下（又は未満）であることをいう。
【００３３】
また、関連付け判断モジュール１７０は、端末装置１００に付箋情報を表示するために送信する場合は、その端末装置１００において表示する期間を付加して送信するようにしてもよい。表示する期間が過ぎた後は、端末装置１００は、その端末装置１００の表示画面からその付箋情報を消去する。ここで、表示期間は、表示されてからの秒数等のように範囲を示す日時（年、月、日、時、分、秒、秒以下、又はこれらの組み合わせであってもよい。以下、同様）で指定されていてもよいし、表示を終了させる日時であってもよい。また、その期間の長さは、送信する付箋情報（アクティブ付箋情報）の属性に基づいた長さとしてもよい。例えば、送信する付箋情報に関連付けられた付箋情報の数に応じた長さとするようにしてもよい。より具体的には、関連付けられた付箋情報の数に比例して期間の長さを算出してもよい。また、送信する付箋情報の送信日時に応じた長さとするようにしてもよい。より具体的には、送信日時が現在に近いほど期間の長さを長くするようにしてもよい。なお、送信する付箋情報Ａの属性とは、付箋情報Ａの属性の他に、付箋情報Ａに関連付けられた付箋情報Ｂの属性を含めてもよい。さらに、付箋情報Ｂに関連付けられた付箋情報Ｃの属性のように、さらに関連付けられた付箋情報の属性を含めてもよい。したがって、送信する付箋情報Ａに関連付けられた付箋情報Ｂの送信日時（付箋情報Ｂが複数ある場合は、それらの統計値（平均値、最頻値、中央値等）に応じた長さも、「送信する付箋情報の属性に基づいた長さ」に含まれる。
また、関連付け判断モジュール１７０は、前述の送信に対応して、端末装置１００から第１の付箋情報とその第１の付箋情報に関連付けられる第２の付箋情報を識別する識別情報を受信するようにしてもよい。そして、関連付け判断モジュール１７０は、受信した識別情報の第２の付箋情報に第１の付箋情報を関連付ける（グループ化する）ようにしてもよい。
【００３４】
また、関連付け判断モジュール１７０は、前述の送信に対応して、端末装置１００から第１の付箋情報を受信するようにしてもよい。そして、関連付け判断モジュール１７０は、受信した識別情報の第１の付箋情報の属性に基づいて、前述の送信した付箋情報（アクティブ付箋情報）のうちいずれかの第２の付箋情報に関連付けるようにしてもよい。ここで、第２の付箋情報の判断の方法は、第１の付箋情報の属性と第２の付箋情報の属性を比較し、属性の値が近い付箋情報を第２の付箋情報とすればよい。より具体的には、（１）第１の付箋情報が作成され始めた時間の直前に送付された付箋情報。これは、第１の付箋情報の付箋情報テーブル７００内の作成日時欄７４０の値とアクティブ付箋情報として送信された日時を比較すればよい。（２）アクティブ付箋情報の中で、第１の付箋情報と同じ色である付箋情報。これは、第１の付箋情報とアクティブ付箋情報の付箋情報テーブル７００内の色欄７９６の値を比較すればよい。
【００３５】
付箋情報リスト記憶モジュール１７４は、関連付け判断モジュール１７０と接続されている。付箋情報リスト記憶モジュール１７４は、例えば、付箋情報テーブル７００、台紙情報テーブル８００、アクティブ付箋テーブル９００を記憶している。
受付モジュール１１０が付箋情報テーブル７００を作成し、作成された付箋情報テーブル７００は表示・配置装置１５０に送信されて、コメント欄７９０、座標欄７９５等は表示・配置装置１５０（特に表示制御モジュール１９０等）によって情報が記憶される。図７は、付箋情報テーブル７００のデータ構造例を示す説明図である。付箋情報テーブル７００は、付箋ＩＤ欄７１０、付箋内容欄７２０、作成者ＩＤ欄７３０、作成日時欄７４０、作成端末ＩＤ欄７５０、送信日時欄７６０、関連付アクティブ付箋ＩＤ欄７７０、関連付日時欄７８０、コメント欄７９０、座標欄７９５、色欄７９６を有している。付箋ＩＤ欄７１０は、付箋情報を本実施の形態において一意に特定するための付箋ＩＤ（ＩＤｅｎｔｉｆｉｃａｔｉｏｎ）を記憶している。付箋内容欄７２０は、参加者が付箋情報に記載した文字、図形等を記憶している。例えば、文字コード列、指又はペン等の軌跡を示すベクトルデータ、又はそれらのデータを記憶しているファイル名等であってもよい。作成者ＩＤ欄７３０は、その付箋情報を作成した参加者を本実施の形態で一意に特定するための参加者ＩＤを記憶している。作成日時欄７４０は、その付箋情報が作成された日時（作成が完成した日時、作成を始めた日時、又はその両方）を記憶している。作成端末ＩＤ欄７５０は、その付箋情報が作成された端末を本実施の形態で一意に特定するための作成端末ＩＤを記憶している。送信日時欄７６０は、その付箋情報が送信された日時を記憶している。関連付アクティブ付箋ＩＤ欄７７０は、その付箋情報（第１の付箋情報）に関係している第２の付箋情報を記憶している。「第２の付箋情報」は、台紙に既に貼り付けられている付箋情報である。第１の付箋情報を作成した参加者が指定した第２の付箋情報の付箋ＩＤであって、例えば、第１の付箋情報の内容は、第２の付箋情報を見たことによって発案したものであって、第２の付箋情報の近傍に配置すべきであると参加者が考えた場合に、その第２の付箋情報の付箋ＩＤが指定される。なお、参加者が第２の付箋情報を指定しなかった場合は、ＮＵＬＬが記憶される。関連付日時欄７８０は、第１の付箋情報が第２の付箋情報に関連付けられた日時を記憶している。コメント欄７９０は、その付箋情報に関連したコメントを記憶している。コメントの作成者は、付箋情報を作成した参加者であってもよいし、他の参加者であってもよいし、ファシリテーターであってもよい。座標欄７９５は、その付箋情報を配置する座標（ｘ、ｙ）を記憶している。座標は付箋が台紙に直接貼り付けられているときは、台紙上の座標（ｘ、ｙ）でもよいし、付箋がグループに属しているときは、グループの始点からの相対座標（ｘ、ｙ）でもよい。色欄７９６は、その付箋情報に付された色を記憶している。付箋情報に色を付した場合の表示は、その付箋情報の背景（カード型の矩形内）をその色にすること等が含まれる。なお、色は、参加者、ファシリテーターの操作によって決定される。
【００３６】
表示・配置装置１５０（特に、関連付け判断モジュール１７０、表示制御モジュール１９０等）が台紙情報テーブル８００を作成する。関連付け判断モジュール１７０が関連付けした付箋情報、関連付けした結果であるグループ等に関する情報をグループＩＤ欄８４０以下の欄に記憶させる。図８は、台紙情報テーブル８００のデータ構造例を示す説明図である。台紙情報テーブル８００は、台紙ＩＤ欄８０５、台紙背景欄８１０、参加者ＩＤ欄８１５、ファシリテーターＩＤ欄８２０、作成日時欄８２５、終了日時欄８３０、グループ数欄８３５、グループＩＤ欄８４０、グループ名欄８４５、グループ位置欄８５０、色欄８５２、グループ内付箋ＩＤ欄８５５、付箋数欄８６０、付箋ＩＤ欄８６５、付箋位置欄８７０、操作欄８７５、操作日時欄８８０、いいね投票数欄８８５を有している。台紙ＩＤ欄８０５は、台紙を本実施の形態において一意に特定するための台紙ＩＤを記憶している。台紙背景欄８１０は、その台紙の背景の模様（例えば、ＸＹ軸、テンプレート画像等）を記憶している。参加者ＩＤ欄８１５は、その台紙を用いる参加者の参加者ＩＤを記憶している。ファシリテーターＩＤ欄８２０は、その台紙を用いるファシリテーターのファシリテーターＩＤを記憶している。作成日時欄８２５は、その台紙の作成開始日時を記憶している。終了日時欄８３０は、その台紙の作成終了日時を記憶している。グループ数欄８３５は、その台紙内で集合を形成したグループ数を記憶している。そのグループ数だけ、グループＩＤ欄８４０、グループ名欄８４５、グループ位置欄８５０、色欄８５２、グループ内付箋ＩＤ欄８５５の組がある。グループＩＤ欄８４０は、そのグループを本実施の形態において一意に特定するためのグループＩＤを記憶している。グループ名欄８４５は、そのグループの名称（例えば、図４等ではグループＡ、グループＢ等）を記憶している。グループ位置欄８５０は、その台紙内における、そのグループの位置（例えば、台紙内のＸＹ座標）を記憶している。色欄８５２は、そのグループに付された色を記憶している。グループに色を付した場合の表示は、そのグループの領域内をその色にすること、そのグループに属している付箋情報をその色とすること、グループのタイトル部分をその色で表示すること等が含まれる。なお、色は、ファシリテーターの操作によって決定される。グループ内付箋ＩＤ欄８５５は、そのグループに要素として含まれている付箋情報の付箋ＩＤを記憶している。付箋数欄８６０は、その台紙上に貼り付けられている付箋情報の数を記憶している。その付箋数だけ、付箋ＩＤ欄８６５、付箋位置欄８７０、操作欄８７５、操作日時欄８８０、いいね投票数欄８８５の組がある。付箋ＩＤ欄８６５は、その台紙上に貼り付けられている付箋情報の付箋ＩＤを記憶している。付箋位置欄８７０は、その付箋情報の台紙内における位置（例えば、台紙内のＸＹ座標）を記憶している。操作欄８７５は、その付箋情報に対して行われた操作を記憶している。操作として、例えば、選択、移動、コピー、内容書き換え等がある。操作日時欄８８０は、その操作が行われた日時を記憶している。いいね投票数欄８８５は、その付箋情報に対して参加者から「いいね」ボタンが押下された回数（いいね投票数）を記憶している。
【００３７】
関連付け判断モジュール１７０がアクティブ付箋テーブル９００を作成する。そして、アクティブ付箋テーブル９００は表示・配置装置１５０に送信され、アクティブ付箋表示モジュール１３０が端末装置１００の表示装置に表示する際に用いられる。また、付箋ＩＤ欄９２０は、受付モジュール１１０によって情報が記憶される。図９は、アクティブ付箋テーブル９００のデータ構造例を示す説明図である。アクティブ付箋テーブル９００は、アクティブ付箋ＩＤ欄９１０、付箋ＩＤ欄９２０、台紙位置欄９３０、端末内表示位置欄９４０を有している。アクティブ付箋ＩＤ欄９１０は、関連付け判断モジュール１７０が抽出した付箋情報（アクティブ付箋情報）の付箋ＩＤを記憶している。付箋ＩＤ欄９２０は、参加者の関連付け操作によってアクティブ付箋情報に関連付けされた付箋情報の付箋ＩＤを記憶している。台紙位置欄９３０は、共有画面の台紙における位置情報（ｘ、ｙ）を記憶している。端末内表示位置欄９４０は、端末装置１００の表示装置における位置情報（ｘ、ｙ）を記憶している。例えば、台紙位置欄９３０に記憶されている位置情報のｘ座標を反映した位置情報を記憶している。具体的には、後述する図１０のアクティブ付箋表示領域１０１０のように横長の領域を用いる場合は、アクティブ付箋情報の台紙におけるｘ座標を反映した位置情報を記憶している。「台紙におけるｘ座標を反映」とは、その台紙を端末装置１００の表示装置に縮小表示した場合に、その縮小表示された台紙上におけるアクティブ付箋情報が位置するｘ座標である。したがって、この場合、台紙上におけるアクティブ付箋情報のｘ座標における位置関係は、端末装置１００の表示装置においても維持されることになる。もちろんのことながら、アクティブ付箋表示領域１０１０を縦長の領域にした場合は、アクティブ付箋情報の台紙におけるｙ座標を反映した位置情報を記憶している。
【００３８】
参加者位置情報取得モジュール１８０は、関連付け判断モジュール１７０と接続されている。参加者位置情報取得モジュール１８０は、参加者の位置を示す情報である位置情報を取得する。なお、参加者全員の位置を把握する必要はないが、少なくとも共有画面の近傍にいる参加者を特定し得るようになっていればよい。近傍とは、共有画面から予め定められた距離内にあることをいう。例えば、共有画面又は共有画面の近傍に設置されている短距離通信可能（つまり、非接触読取り可能）なＩＣカード読取機によって、共有画面の近傍にいる参加者が所持しているＩＣカードからその参加者を特定可能な識別符号を読み取って、その参加者は、共有画面の近傍の位置にいることを算出してもよい。このＩＣカード読取機が会議室内の複数箇所に設置されており、どのＩＣカード読取機が検知したかによって、参加者の位置情報を取得するようにしてもよい。なお、ＩＣカードに限らず、参加者ＩＤが記憶されているものであれば、携帯端末等（端末装置１００であってもよい）であってもよい。また、携帯端末等に内蔵されているＧＰＳ（Ｇｌｏｂａｌ  Ｐｏｓｉｔｉｏｎｉｎｇ  Ｓｙｓｔｅｍ（汎地球測位システム））と通信を行うことによって、各参加者の位置情報を取得するようにしてもよい。
また、参加者位置情報取得モジュール１８０は、共有画面の近傍にいた参加者がその共有画面から離れた場合（前述の予め定められた距離よりも離れた場合）は、その参加者を検知できないことになり、今まで検知できていた参加者ＩＤが検知できなくなった参加者ＩＤを抽出する。検知できなくなった参加者ＩＤとして、関連付け判断モジュール１７０に渡す。その後、関連付け判断モジュール１７０は、その参加者ＩＤの参加者が作成した付箋情報を抽出し、アクティブ付箋情報から消去する処理を行う。
【００３９】
表示制御モジュール１９０は、関連付け判断モジュール１７０と接続されている。表示制御モジュール１９０は、共有画面に、台紙（背景としての白紙、座標系を示すためのｘｙ軸、その他の模様等）とその台紙に貼り付けられた付箋情報を表示し、関連付け判断モジュール１７０によって関連付けられた第１の付箋情報を第２の付箋情報の近傍に表示する。ここでの近傍とは、第２の付箋情報から予め定められた距離内に第１の付箋情報があること、又は第２の付箋情報が属しているグループ内に第１の付箋情報があることをいう。
なお、表示・配置装置１５０は、前述したモジュールのうち、参加者位置情報取得モジュール１８０、関連付け判断モジュール１７０、通信モジュール１６０の組み合わせ、又は参加者位置情報取得モジュール１８０、関連付け判断モジュール１７０、通信モジュール１６０、表示制御モジュール１９０の組み合わせであってもよい。
【００４０】
端末装置１００は、例えば、タッチパネル方式の表示装置及び入力装置を有しており、参加者の指、ペン等を用いた操作を受け付けて、付箋情報の作成、その作成した付箋情報を関連付ける先としてのアクティブ付箋情報の選択等が行われる。また、タッチパネル以外にも、キーボード、マウスを用いた入力、マイクを用いた音声入力、カメラを用いた画像入力等であってもよい。付箋情報は、カード型の情報を管理し得るデータ構造であればよく、その内容は、例えば、テキスト情報、手書き文字、図形等を示すベクトルデータ、音声情報、写真等の静止画像情報、動画情報等、これらの組み合わせであってもよい。
受付モジュール１１０は、通信モジュール１２０、アクティブ付箋表示モジュール１３０と接続されている。受付モジュール１１０は、アクティブ付箋表示モジュール１３０が端末装置１００の表示装置に表示したアクティブ付箋情報に対する参加者の動作（参加者が作成した付箋情報とアクティブ付箋情報を関連付けて送信する操作、参加者が作成した付箋情報を送信する操作）、参加者が作成した付箋情報に関する情報を通信モジュール１２０、通信回線を介して表示・配置装置１５０に渡す。
【００４１】
通信モジュール１２０は、受付モジュール１１０、アクティブ付箋表示モジュール１３０、表示・配置装置１５０の通信モジュール１６０と接続されている。通信モジュール１２０は、表示・配置装置１５０との通信を行い、受付モジュール１１０から渡された情報を表示・配置装置１５０へ送信する。また、表示・配置装置１５０から送信された情報を受信し、アクティブ付箋表示モジュール１３０又は端末装置１００内の担当するモジュールに渡す。例えば、表示・配置装置１５０から台紙の画面情報（表示制御モジュール１９０によって表示される内容等）を受信し、端末装置１００の表示装置に表示する表示モジュールに渡すようにしてもよい。
アクティブ付箋表示モジュール１３０は、受付モジュール１１０、通信モジュール１２０と接続されている。アクティブ付箋表示モジュール１３０は、表示・配置装置１５０によって抽出されたアクティブ付箋情報を端末装置１００の表示装置に表示する。例えば、後述する図１０に例示の端末画面１０００内のアクティブ付箋表示領域１０１０内のアクティブ付箋（１）４４２等の如くである。
【００４２】
図２は、本実施の形態を実現するにあたってのシステム構成例を示す説明図である。端末装置１００ａ、端末装置１００ｂ、端末装置１００ｃ、端末装置１００ｄ、端末装置１００ｚ等、表示・配置装置１５０は、通信回線２９９を介してそれぞれ接続されている。必ずしも、全ての装置が１つの部屋（会議室等）にある必要はないが、一般的には、参加者が用いる端末装置１００ａ等とファシリテーターが用いる表示・配置装置１５０は、同じ部屋にある。通信回線２９９は、有線回線であってもよいし、無線回線であってもよい。
【００４３】
図３は、本実施の形態が使用される会議室等の例を示す説明図である。
図３（ａ）の例に示すように、会議室等内に、参加者３１１、３１２、ファシリテーター３２１が集まっている。参加者３１１は端末装置１００ａを利用し、参加者３１２は端末装置１００ｂを利用する。一般的に、端末装置（端末装置１００ａ等）は参加者一人に１個付与されており、図３（ｂ）の例に示す端末装置１００のように、ノート程度の大きさ（例えば、Ａ４、Ｂ５、７〜１０インチ等）であり、タブレット型の端末であり、指又はペン等を用いて操作されるものである。参加者によって、手書きの文字、図形等が記載された付箋情報が作成される。なお、端末装置は、タブレット型の端末に限られず、キーボード、マウス等を備えたＰＣ等であってもよい。
表示・配置装置１５０ａは、プロジェクターであって、台紙を表示する。大型の画面（例えば、８０インチ等の大きさ）を備えたものであってもよい。また、表示・配置装置１５０ｂは、電子白板であって、ファシリテーター３２１の指又はペン等の動きを検知して、付箋情報を台紙に貼り付けること、付箋情報の関連付け（グループ化）を行うこと等の操作を受け付けるものである。例えば、表示・配置装置１５０ｂにペンが備えられており、そのペンが予め定められたペン置きから離れたこと（ファシリテーター３２１が操作するためにペンを持ち上げたこと）、そしてペンの先端の位置（ペン先端が表示・配置装置１５０ｂに触れたこと等）を検知することによって、台紙、付箋情報に対する操作を受け付ける。例えば、ペン置きにセンサー（ペンの重力でスイッチがオンオフとなるセンサー等）を設け、複数のペン（黒色のペン、赤色のペン、青色のペン等）のうち、どのペンが用いられているかを検知すればよい。また、表示・配置装置１５０ｂの表示画面全体がタッチセンサーであり、表示画面に触れられた位置を検知すればよい。また、本実施の形態では、表示・配置装置１５０ｂの近傍にいる参加者（ファシリテーターを含む）が検知される。
【００４４】
図４は、本実施の形態による共有画面４００の表示例を示す説明図である。共有画面４００は、図３（ａ）の例に示されている表示・配置装置１５０ｂに表示されているものである。
共有画面４００は、台紙領域４１０を有している。台紙領域４１０内には、一般的な付箋情報（図４内では、小さい長方形）の他に、それらの付箋情報を関連付けたグループ領域Ａ４２０、グループ領域Ｃ４４０、グループ領域Ｄ４５０、グループ領域Ｅ４６０、グループ領域Ｆ４７０が表示されている。そして、参加者であるファシリテーター３２１の操作に応じて、付箋情報を台紙領域４１０内で移動させる（例えば、他のグループに移動等）。
また、参加者用端末の参加者によって関連付け指定が行われた付箋情報は、台紙領域４１０内のアクティブ付箋情報の近傍に配置される。例えば、参加者であるファシリテーター３２１が共有画面４００の近傍にいる場合、アクティブ付箋情報として、ファシリテーター３２１が作成したアクティブ付箋（２）４２２、アクティブ付箋（１）４４２、アクティブ付箋（５）４５２、アクティブ付箋（６）４７２が抽出される。そして、端末装置１００から送信された付箋情報がいずれかのアクティブ付箋情報に関連付けされていた場合は、その関連付け先のアクティブ付箋情報の近傍に端末装置１００から送信された付箋情報を表示する。
また、ファシリテーター３２１の操作によって、複数の付箋情報をグループ化（例えば、グループ領域Ｃ４４０、グループ領域Ｄ４５０のように）することができる。
また、参加者は、台紙に貼り付けられている付箋情報に対して、「いいね投票」を行うことができる。例えば、参加者は付箋情報に記載されている内容に賛同する場合は、その付箋情報を指定して端末装置１００に表示されている「いいね投票」ボタンが押下（又はそれぞれの付箋情報に付加されている「いいね投票」ボタンが押下）される。そして、その押下回数がカウントされて、台紙情報テーブル８００のいいね投票数欄８８５に記憶される。押下回数が予め定められた数よりも多い付箋情報は、他の付箋情報よりも大きく表示するようにしてもよい。
このような会議支援システムに、本実施の形態の表示・配置装置１５０を導入する。
【００４５】
図５は、第１の実施の形態による処理例を示すフローチャートである。
ステップＳ５０２では、受付モジュール１１０が、参加者の操作によって作成された付箋情報を受け付ける。
ステップＳ５０４では、通信モジュール１２０が、付箋情報を表示・配置装置１５０へ送信する。
ステップＳ５０６では、通信モジュール１６０が、受付モジュール１１０から送信された付箋情報を受信する。
ステップＳ５０８では、関連付け判断モジュール１７０が、付箋情報を属性と共に付箋情報リスト記憶モジュール１７４に記憶させる。
ステップＳ５１０では、参加者位置情報取得モジュール１８０が、付箋情報を共有表示装置に表示する。
【００４６】
図６は、第１の実施の形態による処理例を示すフローチャートである。
ステップＳ６０２では、参加者位置情報取得モジュール１８０が、共有表示装置の近くにいるユーザーのユーザーＩＤ（参加者ＩＤ）を取得する。前述の図４の例では、ファシリテーター３２１のユーザーＩＤを取得する。
ステップＳ６０４では、参加者位置情報取得モジュール１８０が、取得したユーザーＩＤのユーザーが作成した付箋情報を付箋情報リスト記憶モジュール１７４から抽出する。前述の図４の例では、ファシリテーター３２１が作成したアクティブ付箋（２）４２２、アクティブ付箋（１）４４２、アクティブ付箋（５）４５２、アクティブ付箋（６）４７２を抽出する。また、ステップＳ６０２で取得したユーザーＩＤの参加者が作成した付箋情報だけでなく、そのユーザーＩＤの参加者が選択した付箋情報を抽出してもよい。つまり、その会合で話題となっているものとして、参加者が触れている付箋情報もアクティブ付箋情報にふさわしいからである。参加者が選択した付箋情報については、どの参加者が作成したかはアクティブ付箋情報とするか否かの判断では無関係である。付箋情報が選択されたということだけで、アクティブ付箋情報とする。なお、選択された付箋情報であること、かつ、近傍にいる参加者ＩＤの参加者が作成した付箋情報であることを、アクティブ付箋情報とする条件としてもよい。前述したように、付箋情報の属性情報に基づいて、アクティブ付箋情報を抽出してもよい。
また、端末装置１００でアクティブ付箋情報として表示する期間を指定してもよい。もちろんのことながら、その期間が過ぎれば、端末装置１００は表示装置からその付箋情報を消去する。なお、前述しように、この期間は、アクティブ付箋情報に関連付けされた付箋情報の数等に応じて期間の長さを決定してもよい。
ステップＳ６０６では、通信モジュール１６０が、抽出した付箋情報（アクティブ付箋情報）を端末装置１００へ送信する。
ステップＳ６０８では、通信モジュール１２０が、表示・配置装置１５０から送信された付箋情報を受信する。
【００４７】
ステップＳ６１０では、アクティブ付箋表示モジュール１３０が、受信した付箋情報をアクティブ付箋情報として端末装置１００の表示装置に表示する。例えば、アクティブ付箋（２）４２２、アクティブ付箋（１）４４２、アクティブ付箋（５）４５２、アクティブ付箋（６）４７２を図１０に示すアクティブ付箋表示領域１０１０内に表示する。端末画面１０００は、アクティブ付箋表示領域１０１０、作成付箋表示領域１０５０に分かれており、アクティブ付箋表示領域１０１０には受信したアクティブ付箋情報を表示し、作成付箋表示領域１０５０には端末装置１００を操作している参加者が作成した付箋情報を表示する。なお、アクティブ付箋表示領域１０１０内でのアクティブ付箋情報の位置関係は、台紙領域４１０内におけるそのアクティブ付箋情報の位置関係を維持しているものである。つまり、台紙領域４１０内では左からアクティブ付箋（１）４４２、アクティブ付箋（６）４７２、アクティブ付箋（５）４５２、アクティブ付箋（２）４２２が配置されているが、アクティブ付箋表示領域１０１０でも同様の配置順序にしており、その間隔も比例した状態で維持している。
ステップＳ６１２では、受付モジュール１１０が、ユーザーの操作によって、選択された付箋情報と関連する先のアクティブ付箋の付箋ＩＤを受け付ける。例えば、図１０では移動付箋１０５２が選択され、アクティブ付箋（６）４７２に移動されたとする（端末装置１００を操作している参加者には、移動付箋１０５２をアクティブ付箋（６）４７２に関連付ける意図がある）。なお、付箋情報をアクティブ付箋情報に移動する操作以外に、例えば、表示・配置装置１５０に送信する付箋情報の属性を関連付けるアクティブ付箋情報と同じ属性にすることを行ってもよい。例えば、その属性として色がある。具体的には、アクティブ付箋表示領域１０１０に表示されているアクティブ付箋情報には色が付されており、操作者の操作によって、作成した付箋情報の色を関連付けたいアクティブ付箋情報の色と同じにすればよい。
【００４８】
ステップＳ６１４では、通信モジュール１２０が、付箋情報とアクティブ付箋の付箋ＩＤを表示・配置装置１５０へ送信する。前述の例では、移動付箋１０５２の情報とアクティブ付箋（６）４７２の付箋ＩＤを送信する。なお、ステップＳ６１２で、付箋情報の色を関連付けたいアクティブ付箋情報の色と同じにした場合は、その付箋情報そのもの（もちろんのことながら、内容、属性を含む）を送信する。
ステップＳ６１６では、通信モジュール１６０が、端末装置１００から送信された付箋情報とアクティブ付箋の付箋ＩＤを受信する。前述の例では、移動付箋１０５２の情報とアクティブ付箋（６）４７２の付箋ＩＤを受信する。なお、ステップＳ６１２で、付箋情報の色を関連付けたいアクティブ付箋情報の色と同じにした場合は、その付箋情報そのものを受信する。
ステップＳ６１８では、関連付け判断モジュール１７０が、付箋情報を属性と共に付箋情報リスト記憶モジュール１７４に記憶させる。付箋情報そのもの、付箋情報に関連する情報（属性）を、付箋情報テーブル７００、台紙情報テーブル８００、アクティブ付箋テーブル９００に反映させて記憶する。なお、ステップＳ６１２で、付箋情報の色を関連付けたいアクティブ付箋情報の色と同じにした場合は、ステップＳ６０６で送信したアクティブ付箋情報の中から、受信した付箋情報の属性（例えば、色）と同じ属性を有しているアクティブ付箋情報を抽出し、その付箋情報と抽出したアクティブ付箋情報を関連付ける。
ステップＳ６２０では、参加者位置情報取得モジュール１８０が、付箋情報を関連先のアクティブ付箋の近傍に表示する。前述の例は、図１１の例に示すように移動付箋１０５２をアクティブ付箋（６）４７２の近傍に表示する。
【００４９】
また、この後の処理として、ファシリテーター３２１が共有表示装置から離れた場合（参加者位置情報取得モジュール１８０が今まで検出していた参加者ＩＤが検出できなくなった場合）、関連付け判断モジュール１７０は、検出できなくなった参加者ＩＤの参加者が作成した付箋ＩＤ（今までアクティブ付箋情報として抽出していたもの）を抽出して、消去すべき付箋情報の付箋ＩＤとして端末装置１００に送信する。端末装置１００は、今までアクティブ付箋情報として表示していたものを消去する。
【００５０】
図１２は、第２の実施の形態の構成例についての概念的なモジュール構成図である。図１の例に示した第１の実施の形態の表示・配置装置１５０に整列指示受付モジュール１２８２、配置指示受付モジュール１２８４、解釈モジュール１２８０、整列情報リスト記憶モジュール１２７２を付加したものである。なお、第１の実施の形態と同種の部位には同一符号を付し重複した説明を省略する。
表示・配置装置１５０は、通信モジュール１６０、関連付け判断モジュール１７０、整列情報リスト記憶モジュール１２７２、付箋情報リスト記憶モジュール１７４、参加者位置情報取得モジュール１８０、表示制御モジュール１９０、解釈モジュール１２８０、整列指示受付モジュール１２８２、配置指示受付モジュール１２８４を有している。
【００５１】
整列指示受付モジュール１２８２は、解釈モジュール１２８０と接続されている。整列指示受付モジュール１２８２は、付箋情報を台紙に貼り付けるための領域を指定する情報（以下、整列情報ともいう）であって、少なくともその領域内で付箋情報を貼り付けるための始点を示す始点情報とその始点から付箋情報を順に貼り付ける方向を示す方向情報を受け付ける。整列情報の指定は、例えば、共有画面上でのファシリテーターの指、ペン等の動きによって指定（以下、整列指示ともいう）によって行われる。整列指示は、複数の付箋情報を自動的に配置するための領域とその順番を指示する操作をいう。ここでの整列情報は、始点情報、方向情報を含む。例えば、後述する図１４（ａ）の例における始点１４０２ａ、方向１４０４ａが該当する。
また、整列指示受付モジュール１２８２は、領域の折り返し点を示す折り返し点情報とその折り返し点からの第２の方向情報を受け付けるようにしてもよい。ここでの整列情報として、始点情報、方向情報、折り返し点情報、第２の方向情報があることになる。例えば、後述する図１４（ｃ）の例における始点１４０２ｃ、方向１４０４ｃ、折り返し点１４０６ｃ、方向１４０８ｃが該当する。領域の折り返し点とは、その領域の始点から方向情報が示す方向へ向けて線を引き、方向が変化した点を示す。方向が変化とは、予め定められた角度以上に方向が変化したことをいい、例えば、予め定められた角度として７０度等がある。その折り返し点からファシリテーターの指、ペン等が動いた方向をいう。
【００５２】
配置指示受付モジュール１２８４は、解釈モジュール１２８０と接続されている。配置指示受付モジュール１２８４は、共有画面上に表示されている付箋情報の移動に関する情報（以下、配置情報ともいう）を受け付ける。配置情報の指定は、例えば、共有画面上でのファシリテーターの指、ペン等の動きによって行われる付箋情報を移動する指示（以下、位置指示ともいう）によって行われる。
解釈モジュール１２８０は、整列情報リスト記憶モジュール１２７２、付箋情報リスト記憶モジュール１７４、整列指示受付モジュール１２８２、配置指示受付モジュール１２８４と接続されている。整列指示受付モジュール１２８２から整列情報を受け取って整列情報リスト記憶モジュール１２７２に記憶させ、配置指示受付モジュール１２８４から配置情報を受け取って整列情報リスト記憶モジュール１２７２、付箋情報リスト記憶モジュール１７４に反映させる。
解釈モジュール１２８０は、整列指示又は配置指示のいずれであるかを判断するのに、最初に触れた位置に付箋情報があるか否かによって判断してもよい。例えば、最初に触れた位置に付箋情報がある場合は配置指示であると判断し、最初に触れた位置に付箋情報がない場合（台紙の背景部分を触れた場合）は整列指示であると判断してもよい。また、整列指示モード又は配置指示モードのいずれかを指定して、その指定後は、整列指示又は配置指示と判断してもよい。
【００５３】
整列情報リスト記憶モジュール１２７２は、関連付け判断モジュール１７０、解釈モジュール１２８０と接続されている。整列情報リスト記憶モジュール１２７２は、整列情報のリストを記憶している。例えば、整列情報リスト１７００を記憶している。図１７は、整列情報リスト１７００のデータ構造例を示す説明図である。整列情報リスト１７００は、整列情報ＩＤ欄１７１０、始点座標欄１７２０、方向欄１７３０、折り返し点座標欄１７４０、方向欄１７５０、パターン欄１７８０、グループＩＤ欄１７９０等を有している。整列情報ＩＤ欄１７１０は、整列情報を本実施の形態で一意に識別するためのＩＤ（ＩＤｅｎｔｉｆｉｃａｔｉｏｎ）を記憶している。始点座標欄１７２０は、始点の台紙上の座標（ｘ、ｙ）を記憶している。方向欄１７３０は、始点からの方向（角度等）を記憶している。折り返し点座標欄１７４０は、折り返し点の台紙上の座標（ｘ、ｙ）を記憶している。方向欄１７５０は、折り返し点からの方向（角度等）を記憶している。折り返し点座標欄１７４０と方向欄１７５０の組み合わせは無くてもよいし、複数あってもよい。パターン欄１７８０は、整列情報が示している領域の形状を記憶している。グループＩＤ欄１７９０は、その領域に含まれる付箋情報群を指し示すグループＩＤを記憶している。
パターンとしては、例えば、以下のものがある。
（１）始点と方向によって領域を特定するパターン（図１４（ａ）、（ｂ）参照）であって、その領域の形状は半直線状になる。したがって、新たな付箋情報が付加された場合は、その延長上に配置する。
（２）始点、始点からの方向、折り返し点、その折り返し点からの方向によって領域を特定するパターン（図１４（ｃ）、（ｄ）参照）であって、その領域の形は矩形状になる。したがって、新たな付箋情報が付加された場合は、その領域を方向欄７３０又は方向欄７５０の方向に拡張するように配置する。
（３）始点と方向によって領域を特定するパターン（図１４（ｅ）、（ｆ）参照）であって、その領域の形状は楕円（円を含む）形状になる。ただし、ここでの方向とは、右回り又は左回り、楕円の長軸長、楕円の短軸長、長軸又は短軸の傾き、延長先が外又は内を示す情報によって構成されている。延長先が外とは、始点よりも終点が外側に位置するようになることをいい、図１４（ｅ）の例に示すように、付箋情報を楕円上に一周分配置した後はその外側に付箋情報を配置し、付箋情報を配置していくことによって領域が膨張する。延長先が内とは、始点よりも終点が内側に位置するようになることをいい、図１４（ｆ）の例に示すように、領域の大きさは定まっており、付箋情報を楕円上に一周分配置した後はその内側に付箋情報を配置する。
【００５４】
関連付け判断モジュール１７０は、通信モジュール１６０、整列情報リスト記憶モジュール１２７２、付箋情報リスト記憶モジュール１７４、参加者位置情報取得モジュール１８０、表示制御モジュール１９０と接続されている。関連付け判断モジュール１７０は、第１の実施の形態における関連付け判断モジュール１７０の処理の他に、共有画面の近傍にいる参加者が作成した付箋情報が含まれているグループを抽出する。そして、抽出したグループに関する情報（グループ名、グループＩＤ、そのグループを代表する付箋情報（例えば、グループ内の１番目に位置している付箋情報）等）を、端末装置１００に通信モジュール１６０を介して送信する。具体的には、アクティブ付箋情報の代わりとして、参加者位置情報取得モジュール１８０によって抽出されたグループであってアクティブ付箋情報が属しているグループを送信するものである。又は、アクティブ付箋情報とともに、そのアクティブ付箋情報が属しているグループを送信してもよい。
関連付け判断モジュール１７０は、整列指示受付モジュール１２８２によって受け付けられた始点情報と方向情報に基づいて、台紙に貼り付けられている付箋情報を関連付ける。ここで「付箋情報を関連付ける」とは、その複数の付箋情報を要素とするグループを生成することをいう。始点情報と方向情報によって形成される領域内に含まれる付箋情報群を１つのグループとする。
また、関連付け判断モジュール１７０は、通信モジュール１６０によって受け付けられた付箋情報を既に関連付けられている付箋情報のいずれかに関連付けるようにしてもよい。
また、関連付け判断モジュール１７０は、通信モジュール１６０によって受け付けられた付箋情報を、その付箋情報とともに受け付けられた動作情報に基づいて、既に関連付けられている付箋情報のいずれかに関連付けるようにしてもよい。この場合、例えば、動作情報と整列情報を比較し、最も近い整列情報を選択してもよい。
また、関連付け判断モジュール１７０は、折り返し点情報と第２の方向情報に基づいて定められる領域内の付箋情報を関連付けるようにしてもよい。
また、関連付け判断モジュール１７０は、未だ関連付けられていない付箋情報に対して、既に関連付けられている付箋情報の領域における方向情報（始点から付箋情報を順に貼り付ける方向を示す方向情報）又は第２の方向情報（折り返し点から改行を行って付箋情報を順に貼り付ける方向を示す方向情報）のいずれかに基づいて、関連付けを行うようにしてもよい。第２の方向情報がない場合は方向情報を採用し、第２の方向情報がある場合は第２の方向情報を採用する。また、「方向情報に基づいて関連付けを行う」とは、例えば、その方向に領域を拡張することである。拡張する距離は、予め定められた距離としてもよいし、その領域内に関連付けられている付箋情報の数（グループ内に含まれる付箋情報の数）に比例又は反比例した距離としてもよい。付箋情報の数に比例した距離とした場合は、多くの付箋情報を有しているグループはより大きくなる傾向があり、付箋情報の数に反比例した距離とした場合は、少ない付箋情報のグループが大きくなる傾向がある。いずれにするかは、予め定められていてもよいし、ファシリテーターの指定操作に応じて設定してもよい。
また、関連付け判断モジュール１７０は、前述の送信に対応して、端末装置１００から第１の付箋情報を受信するようにしてもよい。そして、関連付け判断モジュール１７０は、受信した識別情報の第１の付箋情報の属性に基づいて、前述の送信したグループのうちいずれかのグループに関連付けるようにしてもよい。ここで、関連付けるグループの判断の方法は、第１の付箋情報の属性とグループの属性を比較し、属性の値が近いグループを関連付けるグループとすればよい。より具体的には、（１）第１の付箋情報が作成され始めた時間の直前に送付されたグループ。これは、第１の付箋情報の付箋情報テーブル７００内の作成日時欄７４０の値と表示・配置装置１５０からグループが送信された日時を比較すればよい。（２）アクティブ付箋情報の中で、第１の付箋情報と同じ色であるグループ。これは、第１の付箋情報とアクティブ付箋情報の付箋情報テーブル７００内の色欄７９６と台紙情報テーブル８００内の色欄８５２の値を比較すればよい。
【００５５】
付箋情報リスト記憶モジュール１７４に記憶されている付箋情報テーブル７００、台紙情報テーブル８００については以下のようであってもよい。前述のグループは、ファシリテーターの領域指定操作によって関連付けられた付箋情報群を示すものであるが、デフォルトのグループ（例えば、グループＺ等）を設けてもよい。デフォルトのグループとは、関連付けが行われる前の台紙に貼り付けられた付箋情報を要素として含むものである。したがって、ファシリテーターの領域指定操作によって関連付けられなかった付箋情報は、デフォルトのグループに含まれることになる。このようなデフォルトのグループを設けた場合は、前述の図７の例に示した付箋情報テーブル７００の座標欄７９５は不要としてもよい。つまり、関連付けが行われていない付箋情報の位置も、台紙情報テーブル８００の付箋位置欄８７０によって示されることになる。
【００５６】
表示制御モジュール１９０は、関連付け判断モジュール１７０と接続されている。表示制御モジュール１９０は、関連付け判断モジュール１７０によって関連付けられた付箋情報群を、台紙上において関連付けられたことを示すように表示する。ここで、「関連付けられたことを示すように表示する」とは、例えば、関連付けられた付箋情報群を囲む線を表示すること、関連付けられた付箋情報群を同じ色（もちろんのことながら、他の関連付けられた付箋情報群とは異なる色）に着色する等がある。さらに、その関連付けられた付箋情報群の近傍にグループ名等を表示するようにしてもよい。また、その際に、関連付けられた付箋情報の位置を整列情報に沿うように変更するようにしてもよい。
また、表示制御モジュール１９０は、関連付け判断モジュール１７０によって関連付けられた付箋情報群における方向情報に基づいて、その付箋情報群の最後の付箋情報から次の位置に通信モジュール１６０によって受け付けられた付箋情報を台紙上に表示するようにしてもよい。
また、表示制御モジュール１９０は、通信モジュール１６０によって受け付けられた付箋情報を、その付箋情報とともに受け付けられた動作情報に基づいて、台紙上の位置を決定して表示するようにしてもよい。
【００５７】
図１３は、第２の実施の形態による処理例を示すフローチャートである。
ステップＳ１３０２では、整列指示受付モジュール１２８２が、ファシリテーターによる整列指示を受け付ける。
ステップＳ１３０４では、解釈モジュール１２８０が、整列指示を解釈して、整列情報を生成する。図１４は、本実施の形態による整列情報の例を示す説明図である。小さい長方形は表示されている付箋情報である。整列情報は、少なくとも始点情報と方向情報を含む。図１４（ａ）の例は、始点１４０２ａと方向１４０４ａによって領域１４１０ａを形成したものである。始点１４０２ａと方向１４０４ａを指定する操作としては、始点１４０２ａの位置を触れ、そのまま方向１４０４ａへ移動させる操作が該当する。また、その操作を行った軌跡の近傍にある付箋情報を関連付ける。ここで近傍とは、軌跡の座標から予め定められた距離内にあることをいう。もちろんのことながら、図１４（ａ）の例のように付箋情報の上側に軌跡を描いてもよいし、下側に描くようにしてもよい。そして、付箋情報の並びは、方向１４０４ａにしたがって図１４（ａ）の例に示すようになる。また、関連付けられた付箋情報の位置を整列してもよい。付箋情報間の各間隔を予め定められた距離として、方向１４０４ａにしたがって並べることである。このグループに新しい付箋情報が増えた場合は、方向１４０４ａにしたがって付箋情報（７）の右隣に配置する。したがって、この場合は１列に付箋情報が並ぶことになる。図１４（ｂ）も同様の例を示したものであり、方向１４０４ｂが右斜め下方向である例を示している。もちろんのことながら、方向情報は上方向、左方向等であってもよい。
【００５８】
図１４（ｃ）の例は、始点１４０２ｃ、方向１４０４ｃ、折り返し点１４０６ｃと方向１４０８ｃによって領域１４１０ｃを形成したものである。始点１４０２ｃと方向１４０４ｃは、前述の始点１４０２ａと方向１４０４ａと同等のものである。方向１４０４ｃの軌跡から一旦停止とその前後での方向が予め定められた角度以上（例えば、７０度以上）の方向変更を検知すればよい。また、方向変更だけを検知してもよい。そして、その操作を行った軌跡の近傍にある付箋情報を関連付ける。付箋情報の並びは、方向１４０４ｃにしたがって図１４（ｃ）の例に示すように左から右へ並べる。折り返し点１４０６ｃの位置まで並べた後は、方向１４０８ｃにしたがって図１４（ｃ）の例に示すように、行を上方向に変える。このグループに新しい付箋情報が増えた場合は、方向１４０４ｃ又は方向１４０８ｃにしたがって付箋情報（１１）の右隣に配置する。したがって、この場合は横方向に４つの付箋情報が並ぶ矩形の領域になる。つまり、始点から折り返し点を一辺とし、その辺と直角する方向に成長する長方形を形成する。図１４（ｄ）も同様の例を示したものであり、方向１４０８ｄが下方向である例を示している。もちろんのことながら、第１の方向情報と第２の方向情報が異なっていれば、どのような方向の組み合わせであってもよい。
【００５９】
図１４（ｅ）の例は、始点１４０２ｅと方向１４０４ｅによって領域１４１０ｅを形成したものである。図１４（ｆ）の例は、始点１４０２ｆと方向１４０４ｆによって領域１４１０ｆを形成したものである。方向１４０４ｅ、方向１４０４ｆの軌跡が楕円であると認識した場合は、方向（方向１４０４ｅ、方向１４０４ｆ）の終点が、始点（始点１４０２ｅ、始点１４０２ｆ）と比べてその楕円における外側にあるか否かを検知する。図１４（ｅ）の例に示すように外側にあると検知した場合は、その楕円を外側に成長させるような領域１４１０ｅを形成する。付箋情報の並びとしては、方向１４０４ｅに沿わせて並べて配置し、一周した後は外側へ並べて配置する。逆に、図１４（ｆ）の例に示すように内側にあると検知した場合は、楕円形状の大きさを固定した領域１４１０ｆを形成する。付箋情報の並びとしては、方向１４０４ｆに沿わせて並べて配置し、一周した後は内側へ並べて配置する。
これらの検知結果は、整列情報リスト１７００に記憶させる。
【００６０】
ステップＳ１３０６では、解釈モジュール１２８０が、整列情報（整列情報リスト１７００）を整列情報リスト記憶モジュール１２７２に記憶させる。
ステップＳ１３０８では、関連付け判断モジュール１７０が、生成された整列情報が示す領域内に含まれる付箋情報を付箋情報リスト記憶モジュール１７４（台紙情報テーブル８００）から抽出する。前述したように、軌跡の座標の近傍にある付箋情報を抽出すればよい。
ステップＳ１３１０では、関連付け判断モジュール１７０が、抽出した付箋情報を関連付ける。具体的には、抽出した付箋情報に対して同じグループＩＤを付与する。
ステップＳ１３１２では、表示制御モジュール１９０が、関連付けられた複数の付箋情報を一群の付箋情報群とわかるような表示を行う。例えば、図４に例示したように同じグループに属している付箋情報を囲む線を描くようにしてもよい。また、同じグループに属している付箋情報は同じ色で着色するようにしてもよい。
【００６１】
表示制御モジュール１９０が、新しく作成された付箋情報を、関連付けたグループ内の領域にどのように配置するかについて、図１５、１６の例を用いて説明する。
図１５は、第２の実施の形態による処理結果を示す共有画面４００の表示例を示す説明図である。第１の実施の形態における例と同様に、参加者であるファシリテーター３２１が共有画面４００の近傍にいる場合、アクティブ付箋情報として、ファシリテーター３２１が作成したアクティブ付箋（２）４２２、アクティブ付箋（１）４４２、アクティブ付箋（５）４５２、アクティブ付箋（６）４７２が抽出される。さらに、それらが属しているグループのグループ領域Ａ４２０、グループ領域Ｃ４４０、グループ領域Ｄ４５０、グループ領域Ｆ４７０が抽出される。そして、グループ領域Ａ４２０、グループ領域Ｃ４４０、グループ領域Ｄ４５０、グループ領域Ｆ４７０の情報が端末装置１００に送信され、端末装置１００の操作者の操作に応じて、新しく作成された追加付箋（６−２）１５７２がグループ領域Ｆ４７０に関連付けされる。追加付箋（６−２）１５７２は、グループ領域Ｆ４７０内で指定された順序の位置、具体的には、グループ領域Ｆ４７０内の付箋（１１）の後に配置する。
【００６２】
図１６は、第２の実施の形態による処理結果を示す共有画面４００の表示例を示す説明図である。前述の図１５と同様の例を示すものであり、新しく作成された追加付箋（６−２）１６７２がグループ領域Ｆ４７０に関連付けされる。追加付箋（６−２）１６７２は、グループ領域Ｆ４７０内で指定されたアクティブ付箋（６）４７２の直後の位置、具体的には、グループ領域Ｆ４７０内の付箋（７）の位置に配置し、その後の付箋（７〜１１）を順に後の位置に配置する。
【００６３】
第２の実施の形態における発明を以下のように把握してもよく、特に参加者位置情報取得モジュール１８０、関連付け判断モジュール１７０とこれらの発明と組み合わせてもよい。
（Ａ）  付箋情報を台紙に貼り付けるための領域を指定する情報であって、少なくとも該領域内で付箋情報を貼り付けるための始点を示す始点情報と該始点から付箋情報を順に貼り付ける方向を示す方向情報を受け付ける第１の受付手段と、
前記第１の受付手段によって受け付けられた始点情報と方向情報に基づいて、前記台紙に貼り付けられている付箋情報を関連付ける関連付手段と、
前記関連付手段によって関連付けられた付箋情報群を、前記台紙上において関連付けられたことを示すように表示する表示手段
を具備することを特徴とする情報処理装置。
（Ｂ）  端末装置から送信された付箋情報を受け付ける第２の受付手段
をさらに具備し、
前記関連付手段は、前記第２の受付手段によって受け付けられた付箋情報を既に関連付けられている付箋情報のいずれかに関連付け、
前記表示手段は、前記関連付手段によって関連付けられた付箋情報群における前記方向情報に基づいて、該付箋情報群の最後の付箋情報から次の位置に前記第２の受付手段によって受け付けられた付箋情報を前記台紙上に表示する
ことを特徴とする（Ａ）に記載の情報処理装置。
（Ｃ）  前記第１の受付手段は、前記領域の折り返し点を示す折り返し点情報と該折り返し点からの第２の方向情報を受け付け、
前記関連付手段は、前記折り返し点情報と前記第２の方向情報に基づいて定められる領域内の付箋情報を関連付ける
ことを特徴とする（Ａ）又は（Ｂ）に記載の情報処理装置。
（Ｄ）  前記関連付手段は、未だ関連付けられていない付箋情報に対して、既に関連付けられている付箋情報の領域における前記方向情報又は前記第２の方向情報のいずれかに基づいて、関連付けを行う
ことを特徴とする（Ａ）から（Ｃ）のいずれか一項に記載の情報処理装置。
（Ｅ）  コンピュータを、
付箋情報を台紙に貼り付けるための領域を指定する情報であって、少なくとも該領域内で付箋情報を貼り付けるための始点を示す始点情報と該始点から付箋情報を順に貼り付ける方向を示す方向情報を受け付ける第１の受付手段と、
前記第１の受付手段によって受け付けられた始点情報と方向情報に基づいて、前記台紙に貼り付けられている付箋情報を関連付ける関連付手段と、
前記関連付手段によって関連付けられた付箋情報群を、前記台紙上において関連付けられたことを示すように表示する表示手段
として機能させるための情報処理プログラム。
【００６４】
なお、本実施の形態としてのプログラムが実行されるコンピュータ（端末装置１００、表示・配置装置１５０等）のハードウェア構成は、図１８に例示するように、一般的なコンピュータであり、具体的にはパーソナルコンピュータ、サーバーとなり得るコンピュータ等である。つまり、具体例として、処理部（演算部）としてＣＰＵ１８０１を用い、記憶装置としてＲＡＭ１８０２、ＲＯＭ１８０３、ＨＤ１８０４を用いている。ＨＤ１８０４として、例えばハードディスクを用いてもよい。受付モジュール１１０、アクティブ付箋表示モジュール１３０、通信モジュール１２０、通信モジュール１６０、関連付け判断モジュール１７０、参加者位置情報取得モジュール１８０、整列指示受付モジュール１２８２、配置指示受付モジュール１２８４、表示制御モジュール１９０等のプログラムを実行するＣＰＵ１８０１と、そのプログラムやデータを記憶するＲＡＭ１８０２と、本コンピュータを起動するためのプログラム等が格納されているＲＯＭ１８０３と、補助記憶装置であるＨＤ１８０４と、キーボード、マウス、タッチパネル等に対する利用者の操作に基づいてデータを受け付ける受付装置１８０６と、ＣＲＴ、液晶ディスプレイ等の出力装置１８０５と、ネットワークインタフェースカード等の通信ネットワークと接続するための通信回線インタフェース１８０７、そして、それらをつないでデータのやりとりをするためのバス１８０８により構成されている。これらのコンピュータが複数台互いにネットワークによって接続されていてもよい。
【００６５】
前述の実施の形態のうち、コンピュータ・プログラムによるものについては、本ハードウェア構成のシステムにソフトウェアであるコンピュータ・プログラムを読み込ませ、ソフトウェアとハードウェア資源とが協働して、前述の実施の形態が実現される。
なお、図１８に示すハードウェア構成は、１つの構成例を示すものであり、本実施の形態は、図１８に示す構成に限らず、本実施の形態において説明したモジュールを実行可能な構成であればよい。例えば、一部のモジュールを専用のハードウェア（例えばＡＳＩＣ等）で構成してもよく、一部のモジュールは外部のシステム内にあり通信回線で接続しているような形態でもよく、さらに図１８に示すシステムが複数互いに通信回線によって接続されていて互いに協調動作するようにしてもよい。また、特に、パーソナルコンピュータの他、情報家電、複写機、ファックス、スキャナ、プリンタ、複合機（スキャナ、プリンタ、複写機、ファックス等のいずれか２つ以上の機能を有している画像処理装置）などに組み込まれていてもよい。
【００６６】
なお、前述の実施の形態の説明において、予め定められた値との比較において、「以上」、「以下」、「より大きい」、「より小さい（未満）」としたものは、その組み合わせに矛盾が生じない限り、それぞれ「より大きい」、「より小さい（未満）」、「以上」、「以下」としてもよい。
【００６７】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通などのために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ（登録商標）  Ｄｉｓｃ）、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）、ＳＤ（Ｓｅｃｕｒｅ  Ｄｉｇｉｔａｌ）メモリーカード等が含まれる。
そして、前記のプログラム又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、あるいは無線通信ネットワーク、さらにこれらの組み合わせ等の伝送媒体を用いて伝送させてもよく、また、搬送波に乗せて搬送させてもよい。
さらに、前記のプログラムは、他のプログラムの一部分であってもよく、あるいは別個のプログラムと共に記録媒体に記録されていてもよい。また、複数の記録媒体に分割して
記録されていてもよい。また、圧縮や暗号化など、復元可能であればどのような態様で記録されていてもよい。
【符号の説明】
【００６８】
１００…端末装置
１１０…受付モジュール
１２０…通信モジュール
１３０…アクティブ付箋表示モジュール
１５０…表示・配置装置
１６０…通信モジュール
１７０…関連付け判断モジュール
１７４…付箋情報リスト記憶モジュール
１８０…参加者位置情報取得モジュール
１９０…表示制御モジュール
【図１】
2014229167.tif 000003
【図２】
2014229167.tif 000004
【図３】
2014229167.tif 000005
【図４】
2014229167.tif 000006
【図５】
2014229167.tif 000007
【図６】
2014229167.tif 000008
【図７】
2014229167.tif 000009
【図８】
2014229167.tif 000010
【図９】
2014229167.tif 000011
【図１０】
2014229167.tif 000012
【図１１】
2014229167.tif 000013
【図１２】
2014229167.tif 000014
【図１３】
2014229167.tif 000015
【図１４】
2014229167.tif 000016
【図１５】
2014229167.tif 000017
【図１６】
2014229167.tif 000018
【図１７】
2014229167.tif 000019
【図１８】
2014229167.tif 000020